(57)【要約】      （修正有）【課題】カップ用の蓋であって、前部に押圧開閉し、ロックする装置付きのキャップを提供する。【解決手段】栓体１と、蓋２と、を含み、前記栓体と蓋の一側は、相互にヒンジ連結し、前記栓体のほかの一側は、ぴんと立たれる押圧開閉部３を設け、前記蓋に応じている側にロック部４を設け、前記押圧開閉部の上端内側は、前記ロック部に応じているフック部５を設ける。前記押圧開閉部の下端と前記栓体の間に、前記押圧開閉部の下端を立たせて前記フック部を前記ロック部に係合できるようなばね６を設け、前記押圧開閉部の外側は、上下滑るスイッチ７を設け、前記蓋２は、前記押圧開閉部の外側にタブ片８を設ける。さらに、前記押圧開閉部の上には、立てる滑槽９を設け、前記スイッチの上に、前記滑槽を通って前記押圧開閉部の内側に伸入している凸片１０を設ける。前記スイッチが上向き押している時、前記凸片は、前記タブ片の内側と前記押圧開閉部の上端外側の間にロックされる。【選択図】図１
0003173134.tif 000002
【実用新案登録請求の範囲】
【請求項１】
前部に押圧開閉しロックする装置付きキャップであって、それは、栓体１と、蓋２と、を含み、前記栓体１と蓋２の一側は、相互にヒンジ連結し、前記栓体１のほかの一側は、ぴんと立たれる押圧開閉部３を設け、前記蓋２に応じている側にロック部４を設け、前記押圧開閉部３の上端内側は、前記ロック部４に応じているフック部５を設け、前記押圧開閉部３の下端と前記栓体１の間に、前記押圧開閉部３の下端を立たせて前記フック部５を前記ロック部４に係合できるようなばね６を設けており、
前記押圧開閉部３の外側は、上下滑られるスイッチ７を設け、前記蓋２は、前記押圧開閉部３の外側にタブ片８を設け、前記押圧開閉部３の上には、立てる滑槽９を設け、前記スイッチ７の上に、前記滑槽９を通って前記押圧開閉部３の内側に伸入している凸片１０を設け、前記スイッチ７が上向き押している時、前記凸片１０は、前記タブ片８の内側と前記押圧開閉部３の上端外側の間にロックされる、ことを特徴とする前部に押圧開閉しロックする装置付きキャップ。
【請求項２】
前記滑槽９の内側に第一定位凹槽１１を設け、前記スイッチ７の上に、前記凸片１０が、前記タブ片８の内側と前記押圧開閉部３の上端外側の間にロックされる時、前記第一定位凹槽１１に応じている定位凸リブ１２を設けることを特徴とする、請求項１に記載の前部に押圧開閉しロックする装置付きキャップ。
【請求項３】
前記滑槽９の内側に、その第一定位凹槽１１の下部に第二定位凹槽１３を設けることを特徴とする、請求項２に記載の前部に押圧開閉しロックする装置付きキャップ。
【考案の詳細な説明】
【技術分野】
【０００１】
本考案は、カップ用の蓋に関して、具体的に、前部に押圧開閉しロックする装置付きキャップに関するものである。
【背景技術】
【０００２】
現在、従来技術中のカップは、普通に栓を付きキャップを使用して、そのキャップは、一般的に、押圧開閉することを通して、その栓と固定する。しかしながら、当該押圧開閉は、開閉しロックする装置を設置しておらず、それにより、使用者は、使用中、押圧開閉によってキャップが開き、従って、カップ内の水が流出してきて、そして、面倒を起こした。
【考案の開示】
【考案が解決しようとする課題】
【０００３】
本考案の主な目的は、便利に片手で押圧開閉をロックしたり開けうるキャップを提供し、しかもそのカップは、開けられにくく、その構造も簡単である。
【課題を解決するための手段】
【０００４】
上述した技術問題を解決するために、本考案は、前部に押圧開閉しロックする装置付きキャップを提供し、それは、栓体と、蓋と、を含み、前記栓体と蓋の一側は、相互にヒンジ連結して、前記栓体のほかの一側は、ぴんと立たれる押圧開閉部を設け、前記蓋に応じている側にロック部を設け、前記押圧開閉部の上端内側は、前記ロック部に応じているフック部を設け、前記押圧開閉部の下端と前記栓体の間に、前記押圧開閉部の下端を立たせて前記フック部を前記ロック部に係合できるようなばねを設ける。前記押圧開閉部の外側は、上下滑られるスイッチ７を設け、前記蓋は、前記押圧開閉部の外側にタブ片を設け、前記押圧開閉部の上には、立てる滑槽を設け、前記スイッチの上に、前記滑槽を通って前記押圧開閉部の内側に伸入している凸片を設け、前記スイッチが上向き押している時、前記凸片は、前記タブ片の内側と前記押圧開閉部の上端外側の間にロックされる。
【０００５】
前記滑槽の内側に第一定位凹槽を設け、前記スイッチの上に、前記凸片が、前記タブ片の内側と前記押圧開閉部の上端外側の間にロックされる時、前記第一定位凹槽に応じている定位凸リブを設ける。
【０００６】
前記滑槽の内側に、その第一定位凹槽の下部に第二定位凹槽を設ける。
【０００７】
上述した結構を採用したため、本考案は、下記の効果を有して、押圧開閉部の上に、スイッチを設け、使用者は、ただ片手で、スイッチを上向き或いは下向き押し開け、その押圧開閉部をロックしまたはアンロックが可能である。片手で、キャップを開けてまたはロックする方式は、使用者に特に旅行者にとって、極めて大きい便利性をもたらす。本考案は、その構造が簡単で、コストが低く、強い実用性と普及させる価値がある。
【考案を実施するための形態】
【０００８】
図１と図２に示すように、本考案に関わる前部に押圧開閉しロックする装置付きキャップは、栓体１と、蓋２と、を含み、前記栓体１は、杯体と連接することができる。前記栓体１と蓋２の一側は、相互にヒンジ連結して、前記栓体１のほかの一側は、ぴんと立たれる押圧開閉部３を設ける。前記蓋２に応じている側にロック部４を設け、前記押圧開閉部３の上端内側は、前記ロック部４に応じているフック部５を設け、前記押圧開閉部３の下端と前記栓体１の間に、前記押圧開閉部３の下端を立たせて前記フック部５を前記ロック部４に係合できるようなばね６を設ける。前記押圧開閉部３の外側は、上下滑られるスイッチ７を設け、前記蓋２は、前記押圧開閉部３の外側にタブ片８を設け、前記押圧開閉部３の上には、立てる滑槽９を設け、前記スイッチ７の上に、前記滑槽９を通って前記押圧開閉部３の内側に伸入している凸片１０を設け、前記スイッチ７が上向きに押している時、前記凸片１０は、前記タブ片８の内側と前記押圧開閉部３の上端外側の間にロックされる。
【０００９】
前記滑槽９の内側に第一定位凹槽１１を設け、前記スイッチ７の上に、前記凸片１０が、前記タブ片８の内側と前記押圧開閉部３の上端外側の間にロックされる時、前記第一定位凹槽１１に応じている定位凸リブ１２を設ける。前記滑槽９の内側に、その第一定位凹槽１１の下部に第二定位凹槽１３を設ける。
【００１０】
図１と図２に示すように、本考案に関わる開閉をアンロックする時、前記スイッチ７は、前記滑槽９の下部に置いて、前記定位凸リブ１２は、前記第二定位凹槽１３にロックし、それにより、定位作用を生じて、前記スイッチ７が自由に上向き移動することを防止する。この時、もし前記押圧開閉部３の下端を押したら、前記押圧開閉部３の上端は、外側へぴんと立ち、前記フック部５は、前記ロック部４から脱出して、前記蓋２は、前記栓体１の上に開ける。
【００１１】
図３と図４に示すように、前記押圧開閉部３をロックする時、前記スイッチ７を上へ押し開けて、前記凸片１０が、前記タブ片８の内側と前記押圧開閉部３の上端外側の間にロックされて、同時に、前記定位凸リブ１２は、前記第二定位凹槽１３にロックし、それにより、定位作用を生じて、前記スイッチ７が自由に下向き移動することを防止する。前記押圧開閉部３の上端外側は、支えているため、前記押圧開閉部３がプッシュされず、前記フック部５は、前記ロック部４にフックされ、そして、前記蓋２は、前記栓体１を開けない。
【００１２】
要するに、本考案は、上述した最良の実施形態を例としても、茲に説明するべきで、当領域の技術者は、様々な変化をすることができ、それらの変化が、本考案の範囲を逸脱しない限り、本考案の保護範囲に含まれる。
【図面の簡単な説明】
【００１３】
【図１】本考案に関わる前部に押圧開閉しロックする装置を付きキャップの開閉をアンロックする時の断面図である。
【図２】図１中のA-A線に沿っての断面図である。
【図３】本考案に関わる前部に押圧開閉しロックする装置を付きキャップの開閉をロックする時の断面図である。
【図４】図３中のB-B線に沿っての断面図である。
【符号の説明】
【００１４】
１             栓体
２            蓋
３            押圧開閉部３
４             ロック部
５            フック部
６            ばね
７            スイッチ
８            タブ片
９            滑槽
１０          凸片
１１          第一定位凹槽
１２          定位凸リブ
１３            第二定位凹槽
【図１】
0003173134.tif 000003
【図２】
0003173134.tif 000004
【図３】
0003173134.tif 000005
【図４】
0003173134.tif 000006